(57)【特許請求の範囲】
【請求項１】
所定の帯域内の複数のサブキャリアに対して情報が分割されて直交変調されることにより生成された伝送シンボルを伝送単位とし、特定の電力であって且つ特定の位相とされたパイロット信号が上記伝送シンボル内の所定のサブキャリアに離散的に挿入された受信信号が、所望の信号であるか否かを判定する受信信号判定装置において、
上記受信信号の各伝送シンボルから得られた周波数領域信号のうち、一部の周波数領域のサブキャリアを切り出すサブキャリア切り出し手段と、
上記サブキャリア切り出し手段により切り出されたサブキャリアと、所望の信号に応じた位置に参照用のパイロット信号が挿入された参照シーケンスとの間で相関を求める相関演算手段と、
上記相関演算手段により求められた、上記受信信号のパイロット信号と、参照用のパイロット信号との間の相関値を予め設定した閾値とを比較することにより、上記受信信号中に所望の信号が存在するか否かを判定する判定手段とを備え、
上記相関演算手段は、上記伝送シンボル毎に、上記切り出される周波数領域におけるパイロット信号の挿入位置を予め取得しておき、その挿入位置に応じた位置に参照用のパイロット信号が挿入された参照シーケンスを、上記切り出すべきサブキャリアの帯域幅の長さとなるように上記伝送シンボル毎に予め生成しておき、上記相関を求める際には、予め生成しておいた参照シーケンスを上記伝送シンボルに応じて読み出して相関を求めること
を特徴とする受信信号判定装置。
【請求項２】
上記サブキャリア切り出し手段は、上記周波数領域信号のうち、その中心周波数を中心とした周波数範囲を切り出すこと
を特徴とする請求項１記載の受信信号判定装置。
【請求項３】
上記サブキャリア切り出し手段は、全てのシンボルＮｏの各伝送シンボルについて、少なくともパイロット信号が含まれるように切り出すこと
を特徴とする請求項１又は２記載の受信信号判定装置。
【請求項４】
所定の帯域内の複数のサブキャリアに対して情報が分割されて直交変調されることにより生成された伝送シンボルを伝送単位とし、特定の電力であって且つ特定の位相とされたパイロット信号が上記伝送シンボル内の所定のサブキャリアに離散的に挿入された受信信号が、所望の信号であるか否かを判定する受信信号判定方法において、
上記受信信号の各伝送シンボルから得た周波数領域信号のうち、一部の周波数領域のサブキャリアを切り出すサブキャリア切り出しステップと、
上記サブキャリア切り出し手段により切り出されたサブキャリアと、所望の信号に応じた位置に参照用のパイロット信号が挿入された参照シーケンスとの間で相関を求める相関演算ステップと、
上記相関演算ステップにおいて求められた、上記受信信号のパイロット信号と、参照用のパイロット信号との間の相関値を予め設定した閾値とを比較することにより、上記受信信号中に所望の信号が存在するか否かを判定する判定ステップとを有し、
上記相関演算ステップでは、上記伝送シンボル毎に、上記切り出される周波数領域におけるパイロット信号の挿入位置を予め取得しておき、その挿入位置に応じた位置に参照用のパイロット信号が挿入された参照シーケンスを、上記切り出すべきサブキャリアの帯域幅の長さとなるように上記伝送シンボル毎に予め生成しておき、上記相関を求める際には、予め生成しておいた参照シーケンスを上記伝送シンボルに応じて読み出して相関を求めること
を特徴とする受信信号判定方法。
【請求項５】
上記サブキャリア切り出しステップでは、上記周波数領域信号のうち、その中心周波数を中心とした周波数範囲を切り出すこと
を特徴とする請求項４記載の受信信号判定方法。
【請求項６】
上記サブキャリア切り出しステップでは、全てのシンボルＮｏの各伝送シンボルについて、少なくともパイロット信号が含まれるように切り出すこと
を特徴とする請求項４又は５記載の受信信号判定方法。
【発明の詳細な説明】
【技術分野】
【０００１】
本発明は、受信信号がテレビジョン信号であるか否かを判定する受信信号判定装置及び方法に関するものである。
【背景技術】
【０００２】
アナログテレビからデジタルテレビへの移行に伴い、ある程度の周波数が開放されてそれらの周波数帯域が移動通信に使用されるようになっている。特に、新しい通信サービスや様々なアプリケーションが次々に実用化されている昨今において、この無線帯域の割り当ては細分化され、複雑なものとなっている。このようにして割り当てられた各通信サービスが無線帯域において混在している中で、更に新たな通信サービスをこの無線帯域に割り当てるのは徐々に困難になりつつある。
【０００３】
このため、近年においてTV White Space（ＴＶＷＳ）を利用した無線通信ネットワークの標準化が進められており、ＩＥＥＥ８０２標準がＴＶＷＳにおいて共存するための手法の標準化も進められている。このため、これら異なるＩＥＥＥ８０２標準の通信システムを同じ周波数帯においていかに共存させるかが特に重要になり、特に最近における無線通信機会の飛躍的な増大に伴い、その重要性はより増している。
【０００４】
また、このＴＶＷＳでは、実際にライセンスフリーで自由に使用できるＴＶ帯域がより広く存在している。特に免許不要で運用可能な無線通信規格としては、上述したＩＥＥＥ８０２に加え、ＥＣＭＡ、ＩＥＥＥ  ＤＹＳＰＡＮ等が検討されているが、これらの規格では、テレビ放送業者をファーストユーザとしている。そしてファーストユーザがＴＶ帯域を用いて放送を行っていない場合に限り、当該ＴＶ帯域をセカンダリユーザによる無線通信のために開放する。これにより、ＴＶ帯域の効率な利用を促進することが可能となる。
【０００５】
セカンダリユーザが実際にＴＶ帯域において通信の開始を望む場合には、先ず当該ＴＶ帯域をファーストユーザが使用しているか否かを判別する必要がある。そしてファーストユーザがＴＶ帯域を使用していないことを判別した場合に、初めてセカンダリユーザがＴＶ帯域を使用して通信を行うことができる。実際にその判別を行うためには、ＴＶ帯域における現時点でのＴＶ信号の有無を判別するための技術が必要とされる。
【０００６】
従来におけるＴＶ信号の有無を判別するための受信信号判定装置は、特に欧州等のディジタルＴＶ規格であるＤＶＢ−Ｔにおいて、非特許文献１に示す技術が開示されている。この非特許文献１の開示技術は、ＴＶ信号に応じた参照シーケンスを予め設定し、その設定した参照シーケンスを参照することで、受信信号がＴＶ信号であるか否かを判別するものである。実際には、判別対象の受信信号と参照シーケンスとの間で相関値を求め、求めた相関値に基づいてＴＶ信号の有無を判別する。特にこの非特許文献１には、相関値を取得する前に、周波数オフセット見積りと信号電力平坦化とを行うことで、相関値そのものの信頼性を向上させる方法が記載されている。
【０００７】
この方法では、受信信号の各伝送シンボルから有効シンボル期間分の演算範囲を設定し、設定した演算範囲をフーリエ変換することにより周波数領域信号を生成する。次にこのフーリエ変換された周波数領域信号のサブキャリアｘ（ｎ+ｍ）と、所望の信号に応じた位置に参照用のパイロット信号が挿入された参照シーケンス（Ｓp（ｎ））との間で相関値が求められる。そして、求められた相関値は、絶対値に変換され、求めた相関値の絶対値の中から最も大きな値を特定する。その最も大きな値をＲｘmax値とし、最後に判定部においてＲｘmax値と、予め設定した閾値とを比較することで、受信信号がＴＶ信号であるか否かを判別する。
【０００８】
ちなみに検出する最大値は、式（１）に示される、参照シーケンス（Ｓp（ｎ））と、受信信号ｘ（ｎ+ｍ）の積によるＮ個の相関出力Ｒxp（ｍ）の中から、式（２）に基づいてその最大値が検出されることとなる。このようにして得られた最大値が、閾値との判定において用いられることとなる。
【０００９】
【数１】
0005943278.tif 000002
m=0,1,…,N-1.・・・・・・（１）
【００１０】
【数２】
0005943278.tif 000003
・・・・・・・・・・・（２）
【先行技術文献】
【非特許文献】
【００１１】
【非特許文献１】Gaddam and M. Ghosh, "Robust sensing of DVB-T signals," Proc. IEEE DySPAN 2010、２０１０年4月、pp1〜pp8
【発明の概要】
【発明が解決しようとする課題】
【００１２】
図７は、受信信号をフーリエ変換することにより生成した周波数領域信号の信号である。この周波数領域信号は、横軸が細かい周波数ピッチで生成されたサブキャリア（周波数軸）であり、縦軸は、時間軸で生成されたシンボルの番号を示している。各シンボルについて、パイロット信号が離散的に挿入されている。このパイロット信号と、予め設定した参照用のパイロット信号との間の相関値を算出し、上述した判定に用いることとなる。
【００１３】
従来では、この受信信号について、サブキャリアを構成する全周波数分切り出していた。ちょうど図７の例では、ＤＶＢ−Ｔ  ２Ｋ  Ｍｏｄｅである場合を仮定した場合に、横軸のサブキャリアのＮｏ．０〜Ｎｏ．１７０４までを漏れなく切り出し、これと参照シーケンスとの間で相関を求める処理を行っていた。
【００１４】
しかしながら、この切り出した周波数領域の端部近傍、即ち図７でいうところのＮｏ．０の近傍や、Ｎｏ．１７０４の近傍は、隣接する他の周波数チャネルの信号成分の影響が含まれるものとなっている。このため、周波数成分を漏れなく検出してこれとの相関を求める従来の方法では、かかる他の周波数チャネルの影響を受けるため、より精度のよい受信信号の判定をすることができないという問題点があった。
【００１５】
そこで、本発明は、上述した問題点に鑑みて案出されたものであり、その目的とするところは、ある周波数チャネルの信号が、所望の受信信号であるか否か判定を行う上で、特に隣接する他の周波数チャネルによる影響を除去した、高精度な受信信号判定を行うことが可能な、受信信号判定装置及び方法を提供することにある。
【課題を解決するための手段】
【００１６】
本発明を適用した受信信号判定装置は、所定の帯域内の複数のサブキャリアに対して情報が分割されて直交変調されることにより生成された伝送シンボルを伝送単位とし、特定の電力であって且つ特定の位相とされたパイロット信号が上記伝送シンボル内の所定のサブキャリアに離散的に挿入された受信信号が、所望の信号であるか否かを判定する受信信号判定装置において、 上記受信信号の各伝送シンボルから得られた周波数領域信号のうち、一部の周波数領域のサブキャリアを切り出すサブキャリア切り出し手段と、上記サブキャリア切り出し手段により切り出されたサブキャリアと、所望の信号に応じた位置に参照用のパイロット信号が挿入された参照シーケンスとの間で相関を求める相関演算手段と、上記相関演算手段により求められた、上記受信信号のパイロット信号と、参照用のパイロット信号との間の相関値を予め設定した閾値とを比較することにより、上記受信信号中に所望の信号が存在するか否かを判定する判定手段とを備え、上記相関演算手段は、上記伝送シンボル毎に、上記切り出される周波数領域におけるパイロット信号の挿入位置を予め取得しておき、その挿入位置に応じた位置に参照用のパイロット信号が挿入された参照シーケンスを、上記切り出すべきサブキャリアの帯域幅の長さとなるように上記伝送シンボル毎に予め生成しておき、上記相関を求める際には、予め生成しておいた参照シーケンスを上記伝送シンボルに応じて読み出して相関を求めることを特徴とする。
【００１７】
本発明を適用した受信信号判定方法は、所定の帯域内の複数のサブキャリアに対して情報が分割されて直交変調されることにより生成された伝送シンボルを伝送単位とし、特定の電力であって且つ特定の位相とされたパイロット信号が上記伝送シンボル内の所定のサブキャリアに離散的に挿入された受信信号が、所望の信号であるか否かを判定する受信信号判定方法において、上記受信信号の各伝送シンボルから得た周波数領域信号のうち、一部の周波数領域のサブキャリアを切り出すサブキャリア切り出しステップと、上記サブキャリア切り出し手段により切り出されたサブキャリアと、所望の信号に応じた位置に参照用のパイロット信号が挿入された参照シーケンスとの間で相関を求める相関演算ステップと、上記相関演算ステップにおいて求められた、上記受信信号のパイロット信号と、参照用のパイロット信号との間の相関値を予め設定した閾値とを比較することにより、上記受信信号中に所望の信号が存在するか否かを判定する判定ステップとを有し、上記相関演算ステップでは、上記伝送シンボル毎に、上記切り出される周波数領域におけるパイロット信号の挿入位置を予め取得しておき、その挿入位置に応じた位置に参照用のパイロット信号が挿入された参照シーケンスを、上記切り出すべきサブキャリアの帯域幅の長さとなるように上記伝送シンボル毎に予め生成しておき、上記相関を求める際には、予め生成しておいた参照シーケンスを上記伝送シンボルに応じて読み出して相関を求めることを特徴とする。
【発明の効果】
【００１８】
上述した構成からなる本発明によれば、受信信号について、サブキャリアを構成する全周波数分切り出すのではなく、サブキャリアを構成する全周波数のうち一部の周波数を切り出し、これについて参照シーケンスと相関を求める処理を行う。このため、全周波数領域の端部近傍について切り出して、それについても相関を求める処理を行うのを回避することができ、隣接する他の周波数チャネルによる影響を除去し、判定精度を向上させることができる。
【００１９】
これに加えて、上述した構成からなる本発明によれば、受信信号の判定を行う上で演算負担を軽減させることが可能となる。判定対象の受信信号の帯域が減少することにより、より低いＩＦ帯域において処理を実行することができ、ＡＤ変換処理におけるサンプリング周波数もより低く設定することが可能になる。その結果、判定のために生成すべきディジタルサンプルの数が少なくなり、図３のスライディング相関の演算量を減らすことが可能となる。
【図面の簡単な説明】
【００２０】
【図１】本発明を適用した受信信号判定装置のブロック構成例を示す図である。
【図２】（ａ）は、周波数領域信号を横軸に、時間軸で生成されたシンボルの番号を縦軸に示した図であり、（ｂ）は参照シーケンスの例を示す図である。
【図３】選択スライディング相関処理を行う例を示す図である。
【図４】横軸に相関値の算出順序（ｍ）を、縦軸に得られた相関出力を示す図である。
【図５】得られた周波数領域信号のうち、その中心周波数を中心とした周波数範囲を切り出す例を示す図である。
【図６】日本のＩＳＤＢ−Ｔ  ｍｏｄｅ  ３に基づくＯＦＤＭの周波数領域の信号構造を示す図である。
【図７】従来技術の問題点について説明するための図である。
【発明を実施するための形態】
【００２１】
以下、本発明の実施の形態について詳細に説明する。
【００２２】
図１は、本発明を適用した受信信号判定装置１のブロック構成例を示している。この受信信号判定装置１は、判定対象としての無線信号を受信するＴＶチャネル受信部１１と、このＴＶチャネル受信部１１に接続されたベースバンド変換部１２と、ベースバンド変換部１２に接続された特定帯域抽出フィルタ（ＢＰＦ）１３と、ＢＰＦ１３に接続されたＡＤコンバータ（ＡＤＣ）１４と、ＡＤＣ１４に接続されてなるデジタルＢＰＦ３５と、デジタルＢＰＦ３５に接続されてなるバッファ１５と、バッファ１５に接続された相関部１７と、相関部１７に接続されたピーク検出部１８と、ピーク検出部１８に接続された最大値検出部１９と、最大値検出部１９に接続された判定部２０とを備えている。
【００２３】
ＴＶチャネル受信部１１は、例えば、直交周波数分割多重（ＯＦＤＭ）信号からなるＴＶ信号としての、ＲＦ信号を受信するアンテナである。このＴＶチャネル受信部１１により受信されたＲＦ信号は、ベースバンド変換部１２へと送信される。
【００２４】
ベースバンド変換部１２は、ＴＶチャネル受信部１１から供給されてくるＲＦ信号としての受信信号についてベースバンド帯域の信号に周波数変換する。このベースバンド変換部１２は、ＴＶチャネル受信部１１に入力されるＲＦ信号が、伝送のために変調された信号になっていることに対応して行うものであるが、これを設けることは必須ではなく、以降の信号処理をＩＦ帯域で行うようにしてもよいことは勿論である。
【００２５】
ＢＰＦ１３は、判別対象としての受信信号を受信した場合において、所定の周波数帯域に通過特性を有する信号を入力として受け入れるものである。即ち、ＢＰＦ１３は、受信信号を上記所定の周波数帯域にフィルタリングするための帯域通過フィルタとして構成される。ちなみに、その帯域幅は、それぞれのＴＶ信号における規格に応じて、例えば、６ＭＨｚ、７ＭＨｚ、８ＭＨｚ等に設定されているものであってもよい。ＢＰＦ１３は、上述した処理を施した受信信号をＡＤＣ１４へと出力する。このＢＰＦ１３では、判定処理において必要とされる帯域幅（センシングに用いられる帯域、例えばISDB-Tにおいてワンセグメント分に応じた帯域幅）を通過させるようにしてもよいし、或いは判定処理に応じた所望の帯域幅を通過させることができない場合には、これよりもやや広めの帯域幅を通過させるようにしてもよい。
【００２６】
ＡＤＣ１４は、入力されたアナログ信号としての受信信号を所定の周波数でサンプリングし、デジタル信号に変換するものである。このＡＤＣ１４によりＡＤ変換を行うことにより、以降の信号処理を効率的行うことが可能となる。
【００２７】
デジタルＢＰＦ３５は、ＢＰＦ１３と合わせて、受信信号を所望の帯域までカットするためのデジタル帯域通過フィルタである。例えば、上述したＢＰＦ１３により、全１３セグメントからなる受信信号の帯域を５セグメントまでカットし、さらに、このデジタルＢＰＦ３５により、この５セグメントの帯域を１セグメントまでカットするようにしてもよい。
【００２８】
このように２段階で帯域をカットする理由としては、ＢＰＦ１３がアナログフィルタであることから、精度よく帯域をカットするのが難しいためである。但し、ＢＰＦ１３が高精度な帯域カットを実現することができるものである場合、このデジタルＢＰＦ３５の構成を省略するようにしてもよい。
【００２９】
バッファ１５は、ＡＤＣ１４により生成されたデジタル信号としての受信信号が供給される。このバッファ１５は、これら供給された受信信号を一時的に格納する。
【００３０】
相関部１７は、このバッファ１５に格納された受信信号を読み出し、相関処理を行う。この相関部１７は、読み出した受信信号と、参照シーケンスとの間で相関値を算出するものである。
【００３１】
ピーク検出部１８は、相関部１７により計算された相関値のピークを順次抽出する。ピーク検出部１８により検出されるピークは、最大ピークのみならず、所定の閾値を超える複数のピークを検出するようにしてもよい。なおこのピーク検出部１８では、得られた相関値のピークをそのまま検出するようにしてもよいし、また合成を行ったり平均値を取る等の所定の処理を施した上で検出するようにしてもよい。
【００３２】
最大値検出部１９は、このピーク検出部１８により検出された相関値のピーク又はピーク群の中から最大となるピークを特定する。この最大値検出部１９は、最大となるピークを検出する代替として、ピーク群の平均を求めるようにしてもよい。なお、最大値検出部１９は、得られた最大値をそのまま用いて判定に利用してもよいし、上述した処理を複数回実行した結果得られた最大値又はその平均値を用いてもよい。
【００３３】
判定部２０は、特定した相関値のピーク最大値、又は平均値を、予め設定した閾値とを比較する。そして、この閾値より大きい場合には、受信信号がＴＶ信号である旨を、また閾値以下の場合には、受信信号がＴＶ信号でない旨を判別する。
【００３４】
次に、上述の如き構成からなる受信信号判定装置１の動作について説明をする。
【００３５】
先ず判定対象として受信した受信信号を先ずＴＶチャネル受信部１１を介して受信し、これをベースバンド変換部１２においてベースバンド帯域の信号に周波数変換した上で、ＢＰＦ１３において所望の通過帯域へとフィルタリングする。これにより受信信号の判定をする上で必要の無い帯域を実質的にカットすることができる。そして、ＡＤＣ１４においてアナログデジタル変換を施す。このデジタル信号としての受信信号を一時的にバッファ１５に格納する。この受信信号をバッファ１５に格納する際に、参照シーケンスに対して時間差が無いよう補正するようにしてもよい。
【００３６】
次にこの相関部１７において相関処理を行う。本発明では、図２（ａ）に示すような周波数領域のサブキャリアに対して処理を実行する。この図２（ａ）に示すように、周波数領域信号は、横軸が細かい周波数ピッチで生成されたサブキャリア（周波数軸）であり、縦軸は、時間軸で生成されたシンボルの番号を示している。各シンボルについて、パイロット信号が離散的に挿入されている。パイロット信号は、各シンボルにおいて特定の位置に散在されている特定電力且つ特定位相のいわゆるスキャッタードパイロット信号である。このパイロット信号と、予め設定した参照用のパイロット信号との間の相関値を算出し、受信信号の判定に用いることができる。図２（ａ）の例では、２Ｋである場合を仮定した場合に、横軸の周波数軸には、Ｎｏ．０〜Ｎｏ．１７０４が配列している。また、図２（ａ）のサブキャリア中において塗りつぶされた位相にパイロット信号が挿入されている。
【００３７】
ちなみに、このパイロット信号は、シンボルＮｏ毎に特定位相に規則的に挿入されている。ちょうど図２（ａ）の例では、このシンボル間で所定量に亘り位相をシフトさせてパイロット信号を挿入している例が示されている。また、このパイロット信号は、各シンボルにおいて所定位相間隔を空けて規則的に挿入されている。
【００３８】
本発明では、かかるパイロット信号の挿入の規則性に着目する。つまり、得られた周波数領域信号のうち、全周波数領域のサブキャリアを切り出すのではなく、あくまで一部の周波数領域のサブキャリアを切り出す。このサブキャリアを切り出す周波数範囲は、全てのシンボルＮｏの各シンボルについて、少なくともパイロット信号が含まれるように切り出す。
【００３９】
次に相関部１７において、この切り出したシンボル毎のサブキャリアと、参照用のパイロット信号が挿入された参照シーケンスとの間で相関を求める。この参照シーケンスは例えば、図２（ｂ）に示すように、上述した切り出し領域の帯域幅の長さで構成される。この参照シーケンスは、所望の信号に応じて事前に設計されるものである。即ち、所望の信号のパイロット信号に挿入位置を予め解析しておき、実際に切り出す領域におけるパイロット信号の挿入位置を取得しておく。図２（ｂ）では、あるシンボルｎにおける参照シーケンスであるが、所望の信号に応じた位置にパイロット信号が挿入されているのが分かる。このような参照信号を、少なくとも一つ予め生成しておく。
【００４０】
ちなみに、パイロット信号は、一定の間隔をおいて繰り返し挿入される。このため、参照信号も同様の長さのものを生成しておく。例えば、DVB-TとISDB-Tの場合は、パイロット信号が４ＯＦDMシンボルで繰り返し挿入されている。このため参照シーケンスも同様に４ＯＦＤＭ長さのものを少なくとも１個を生成する。例えば図２（ａ）は、４ＯＦＤＭシンボルでパイロット信号が繰り返される例を示しており、その場合には図２（ｂ）に示すように、参照信号も同様に４ＯＦＤMシンボルを繰り返すものとして構成される。
【００４１】
そして、実際の相関処理を行う際には、各シンボルＮｏ．毎に生成しておいた、この参照シーケンスを読み出し、受信信号のサブキャリアとの間で相関値を算出する。その結果、受信信号が、所望の信号であれば、参照シーケンスのパイロット信号の挿入位置が一致することから、得られる相関値が高くなる。これに対して、受信信号が、所望の信号でない場合には、参照シーケンスのパイロット信号の挿入位置が一致しないことから、得られる相関値は低くなる。
【００４２】
このようにして得られた相関値は、ピーク検出部１８において、そのピークが順次抽出される。そして、上述したように最大値検出部１９による検出を経て、判定部２０において閾値と比較され、ピーク値が所定の閾値より大きい場合には、受信信号がＴＶ信号である旨を、また閾値以下の場合には、受信信号がＴＶ信号でない旨が判別されることとなる。
【００４３】
なお、本発明は、選択スライディング相関処理により、受信信号の判定を行う際においても同様に実現することができる。
【００４４】
選択スライディング相関処理を行う際には、例えば、図３に示すように、受信信号は、所定のＯＦＤＭシンボルの長さＴからなるサンプルｒｘiを順次抽出する。このサンプルｒｘiの抽出は、最初のシンボル期間Ｔの２倍（整数倍であってもよい）の長さからなる単位検出期間内において、ｒｘ1、ｒｘ2、ｒｘ3、・・・、ｒｘkのサンプルを抽出する。このサンプル抽出は、互いに時間軸上において重複するようにして抽出する。図３の例では、サンプル間の抽出時間差がτ1、τ2、・・・、τk-1とされおり、最初のサンプルｒｘ1から最後のサンプルｒｘkまでの抽出時間差はΣτiである。すなわち、このスライディング相関については、サンプルの抽出開始時を複数ステップに亘りシフトさせて抽出を行うものである。
【００４５】
判定対象の受信信号は、所定長のシンボル期間のサンプルからなるため、その所定長のシンボル期間（単位シンボル期間の整数倍）の長さからなり、かつ上記パイロット信号の繰り返し期間を含むような単位検出期間内において複数に亘り時系列的に順次シフトさせてスライディング相関を行う。
【００４６】
このようにして抽出された各サンプルは、相関部１７において参照シーケンスとの間で、上述した方法に基づいて相関値が求められる。ここでそれぞれのサンプルｒｘ1、ｒｘ2、・・・、ｒｘkについての相関値をＲｘ1、Ｒｘ2、・・・、Ｒｘkとする。
【００４７】
図４は、横軸に相関値の算出順序（ｍ）、縦軸が得られた相関出力である。横軸の相関値の算出順序（ｍ）は、各サンプルｒｘkについて相関値が求められた順に並べたものであるが、ピーク値が現れているのが分かる。ピーク検出部１８は、このような相関値のピークを抽出する。このとき、ピーク検出部１８は、所定値以上のピークを選択的に検出するようにしてもよい。そして、最大値検出部１９は、このピーク検出部１８により検出されたピークのうち、最大のピークを検出する。このとき、最大値検出部１９は、最大値を検出する代替として、所定値以上のピークの平均を求めるようにしてもよい。そして得られた最大値又は平均値は、上述したように判定部２０における閾値との判定に用いられることとなる。
【００４８】
本発明を適用した受信信号判定装置１は、上述したように受信信号のパイロット信号と、参照用のパイロット信号との間の相関値を、予め設定した閾値とを比較することにより、受信信号の判定を行うことが可能となる。
【００４９】
特に本発明では、この受信信号について、サブキャリアを構成する全周波数分切り出すのではなく、サブキャリアを構成する全周波数のうち一部の周波数を切り出し、これについて参照シーケンスと相関を求める処理を行う。このため、全周波数領域の端部近傍、即ち図２でいうところのＮｏ．０の近傍や、Ｎｏ．１７０４の近傍について切り出して、それについても相関を求める処理を行うのを回避することができる。特に全周波数領域の端部近傍は、隣接する他の周波数チャネルの信号成分の影響が含まれる。図５は、ＢＰＦ１２により、周波数チャネルＮのみを透過させる例である。実際にＢＰＦ１２により周波数チャネルＮのみを透過させようとしても、これに隣接する周波数チャネルＮ−１、周波数チャネルＮ＋１の成分が含まれてしまい、周波数チャネルＮのみの成分を抽出できていないことが分かる。
【００５０】
本発明は、相関値を求める上で、この切り出し領域を周波数チャネルＮのうち一部のみを切り出すことから、このような他の周波数チャネルＮ−１、周波数チャネルＮ＋１の影響を除去し、周波数チャネルＮのみの成分について判定を行うことができ、判定精度を向上させることができる。
【００５１】
このとき、サブキャリアの切り出しは、図５に示すように、得られた周波数領域信号のうち、その中心周波数を中心とした周波数範囲を切り出すようにしてもよい。これにより他の周波数チャネルＮ−１、周波数チャネルＮ＋１の影響をより確実に除去することで、判定精度をより向上させることが可能となる。なお、この切り出し領域は、中心周波数を中心とした周波数範囲に限定されるものではなく、あくまで周波数チャネルＮの全域のうちの一部であればいかなる周波数範囲であってもよい。
【００５２】
また図６は、日本のＩＳＤＢ−Ｔ  ｍｏｄｅ  ３に基づくＯＦＤＭの周波数領域の信号構造を示している。このＩＳＤＢ−Ｔでは、１のチャネルについて６ＭＨｚずつ帯域が割り当てられている。例えばチャネルＣｈ．２５に着目したときに、５４２〜５４８ＭＨｚが割り当てられている。そして、更にその中がＳ０〜Ｓ１２までの１３のセグメントに分割されている。このＩＳＤＢ−Ｔでは、その中央に位置するセグメントＳ０について、相関値を求めるために周波数領域を切り出すものとする。図６に示すように切り出された周波数領域のサブキャリアとシンボルの関係に示すようにパイロット信号が挿入されているが、これを利用して上述の手法により参照シーケンスとの間で相関値を求めていくこととなる。
【００５３】
なお、上述した例では、あくまでＯＦＤＭ信号を受信する場合を例にとり説明をしたが、これに限定されるものではなく、上述した方法により、周波数軸方向にサブキャリアが挿入されているものであればいかなる信号の受信判定を行うものであってもよい。
【符号の説明】
【００５４】
１１  チャネル受信部
１２  ベースバンド変換部
１５  バッファ
１６  平均化処理部
１７  相関部
１８  ピーク検出部
１９  最大値検出部
２０  判定部
【図１】
0005943278.tif 000004
【図２】
0005943278.tif 000005
【図３】
0005943278.tif 000006
【図４】
0005943278.tif 000007
【図５】
0005943278.tif 000008
【図６】
0005943278.tif 000009
【図７】
0005943278.tif 000010